(57)【要約】      （修正有）【課題】水存在下でも赤外線カメラによる赤外領域の撮影を確実に行えるようにするためのカメラカバーを提供する。【解決手段】カメラ本体１１に覆い被せられるカバー本体２と、カメラ本体１１のレンズ鏡筒１２が挿入されるためにカバー本体から突出し先端が開口された筒状の鏡筒挿入部３と、鏡筒挿入部３の開口を塞ぐために当該開口に設けられた赤外線透過部材４とを備える。鏡筒挿入部を、カバー本体に取り外し可能に取り付けることができる。カメラ本体がカバー本体により覆われ、レンズ鏡筒の前面に赤外線透過部材が位置されるので、水存在下でも赤外領域の撮影を確実に行える。【選択図】図１
0003183907.tif 000002
【実用新案登録請求の範囲】
【請求項１】
カメラ本体に覆い被せられるカバー本体と、
前記カメラ本体のレンズ鏡筒が挿入されるために前記カバー本体から突出し先端が開口された筒状の鏡筒挿入部と、
前記鏡筒挿入部の開口を塞ぐために当該開口に設けられた赤外線透過部材とを備えたことを特徴とするカメラカバー。
【請求項２】
前記鏡筒挿入部は、前記カバー本体に取り外し可能に取り付けられている請求項１に記載のカメラカバー。
【請求項３】
前記鏡筒挿入部は、前記レンズ鏡筒より大きな径の円筒状に形成され、
前記カバー本体に、前記鏡筒挿入部を挿入するための貫通穴を設け、
前記貫通穴に、その貫通穴を塞ぐように弾性変形可能な弾性シートを設け、
前記弾性シートに、前記鏡筒挿入部より径が小さく当該弾性シートの弾性変形によりその鏡筒挿入部が挿入される挿入穴を設けて、
前記鏡筒挿入部を前記挿入穴に挿入すると、前記弾性シートが弾性力により挿入した鏡筒挿入部の外周の周方向に沿って密着し当該鏡筒挿入部を前記弾性シートで保持するようにした請求項２に記載のカメラカバー。
【請求項４】
前記弾性シートは、軟質の弾性部材で薄肉に形成され、
前記鏡筒挿入部は、前記弾性シートより弾性変形し難いとともに軟質の弾性部材で薄肉に形成されている請求項３に記載のカメラカバー。
【請求項５】
前記鏡筒挿入部の内面は、前記レンズ鏡筒の動きを許容する面に形成されている請求項１〜４のいずれか１項に記載のカメラカバー。
【請求項６】
前記赤外線透過部材は、前記鏡筒挿入部の先端より内側に配置されている請求項１〜５のいずれか１項に記載のカメラカバー。
【請求項７】
前記カバー本体は、覆い被せたカメラ本体を目視可能であるとともに当該カメラ本体の操作を行える軟質の透明部材で形成されている請求項１〜６のいずれか１項に記載のカメラカバー。
【考案の詳細な説明】
【技術分野】
【０００１】
本考案は、防水性を有し赤外線カメラで赤外領域の撮影を確実に行えるようにするためのカメラカバーに関するものである。
【背景技術】
【０００２】
赤外領域を撮影可能なカメラとして赤外線カメラが知られている。赤外線カメラの中には、特定のガスを検知するガス検知用カメラやサーモグラフィとして温度分布を画像化する熱画像カメラがある。ガス検知用カメラは、ガス漏れ等を肉眼で素早くかつ簡単に検知することを可能にするものである。熱画像カメラは、温度分布を画像化して消火作業や消火作業後の残火確認等を確実に行う際に用いることが提案されている。ガス検知用カメラや熱画像カメラは、防水性を備えていない場合、カメラカバーで覆うことが提案される。
【０００３】
例えば、火災現場では、まず拡散放水を行い拡散放水で一通りの火を消してしまったら、次に火元等に向けて通常放水を行って消火作業を行う。消火作業後、再熱火災の発生を未然に防止するために残火確認を行う。この残火確認は、赤外線カメラを用いて行うことが提案されている。すなわち、消火作業後の肉眼での残火処理作業においては、発見できなかった残り火が再燃し、二次火災を引き起こすことが考えられるが、高温箇所を検出できる赤外線カメラを用いると、周辺の環境温度表示に加え、ターゲットのスポット温度表示により、現場の環境状態を常に的確に把握することが可能となる。その結果、壁の内側や天井などの隠れた火元を発見できたり、高温箇所をカラー表示することで僅かな残り火を見落としなく効率良く処理できたりし、赤外線カメラを用いることで残火確認を確実に行えることになる。
【０００４】
また、消火作業においても赤外線カメラを用いることが提案されている。排煙が円滑に行われないと、濃煙と放水による濃水蒸気等により視界を奪われ、的確な消防作業や隊員の安全管理に支障を来すが、赤外線カメラは、暗闇の中でも煙の中でも人や物体から発する赤外線を検知して温度を瞬時に色により細かくデジタル表示することができる。特に煙を見通すという特性は、消火作業において重要である。立ち昇る煙で視界が悪くなった火災現場でも、赤外線カメラを使えば、要救助者の早期探索が可能となるとともに、消火作業が効率的に行われているかどうかを把握し的確な指示を出すことが可能となり正確に火元を見つける事ができ、作業効率と安全性が大幅に向上する。
【０００５】
このように赤外線カメラを使用することで残火確認を含む消火作業の効率が大幅に向上する。しかし、赤外線カメラを持ち込む現場は、例えば、消火作業に用いた水が上方から垂れてきたいりするので赤外線カメラを水から防ぐのに赤外線カメラをカメラカバーで覆うことが提案される。カメラカバーとしては、例えば、透明なビニール製の袋状のカバー本体を赤外線カメラに被せ、このカバー本体の正面に円板状のゴム部材を取り付け、このゴム部材に窓穴を設け、この窓穴から赤外線カメラのレンズ鏡筒を突出させて使用するものが知られている。
【０００６】
ところで、窓穴は、赤外線カメラのレンズ鏡筒の外径より径が小さな寸法に形成して窓穴を形成する開口端部をレンズ鏡筒の外側に密着させることで、レンズ鏡筒と窓穴の間から水がカバー本体内に入り難くなっているが、レンズ鏡筒の先端部は窓穴から突出しているので、レンズ鏡筒の先端の開口から水が赤外線カメラ内に入ることもある。このため、レンズ鏡筒もカバー本体で覆ってレンズ鏡筒の開口から赤外線カメラ内への防水を図ることが提案されるが、しかし、カバー本体は、赤外線を透過するものはなかったので、赤外線カメラを用いて高温箇所を検出できず現場の環境状態を的確に把握することができなくなってしまった。
【考案の概要】
【考案が解決しようとする課題】
【０００７】
本考案が解決しようとする課題は、防水性を有し赤外線カメラによる赤外領域の撮影を確実に行えるようにするためのカメラカバーを提供することにある。
【課題を解決するための手段】
【０００８】
前記課題を解決するため本考案に係るカメラカバーは、カメラ本体に覆い被せられるカバー本体と、前記カメラ本体のレンズ鏡筒が挿入されるために前記カバー本体から突出し先端が開口された筒状の鏡筒挿入部と、前記鏡筒挿入部の開口を塞ぐために当該開口に設けられた赤外線透過部材とを備えたことを特徴とする。
【０００９】
このように構成することで、レンズ鏡筒が鏡筒挿入部に挿入された状態でカメラ本体がカバー本体により覆われ、レンズ鏡筒の前面に赤外線透過部材が位置されているので、水が存在する環境状態で赤外線カメラにより赤外領域の撮影を確実に行える。
【００１０】
この場合において、鏡筒挿入部を、カバー本体に取り外し可能に取り付けることができる。また、鏡筒挿入部を、レンズ鏡筒より大きな径の円筒状に形成し、カバー本体に、鏡筒挿入部を挿入するための貫通穴を設け、貫通穴に、その貫通穴を塞ぐように弾性変形可能な弾性シートを設け、弾性シートに、鏡筒挿入部より径が小さく当該弾性シートの弾性変形により鏡筒挿入部が挿入される挿入穴を設けて、鏡筒挿入部を挿入穴に挿入すると、弾性シートが弾性力により挿入した鏡筒挿入部の外周の周方向に沿って密着し当該鏡筒挿入部を弾性シートで保持するようにすることができる。さらに、弾性シートを、軟質の弾性部材で薄肉に形成し、鏡筒挿入部を、弾性シートより弾性変形し難いとともに軟質の弾性部材で薄肉に形成することができる。
【００１１】
鏡筒挿入部の内面を、レンズ鏡筒の動きを許容する面に形成することができる。また、赤外線透過部材を、鏡筒挿入部の先端より内側に配置することができる。さらに、カバー本体を、覆い被せたカメラ本体を目視可能であるとともに当該カメラ本体の操作を行える軟質の透明部材で形成することができる。
【考案の効果】
【００１２】
本考案によれば、水存在下でも赤外線カメラによる赤外領域の撮影を確実に行えるようにするためのカメラカバーを提供することができる。
【図面の簡単な説明】
【００１３】
【図１】本考案に係るカメラカバーの第１の例の実施形態を示す側面図である。
【図２】本実施形態のカメラカバーを赤外線カメラに装着する前の状態を示す図で、（ａ）はカバー本体の一例を示し斜視図、（ｂ）は鏡筒挿入部の一例を示す側面図、（ｃ）は赤外線カメラを示す側面図である。
【図３】本考案に係るカメラカバーの第２の例の実施形態を示す斜視図である。
【図４】本考案に係るカメラカバーの第３の例の実施形態を示す斜視図である。
【考案を実施するための形態】
【００１４】
以下、本考案に係るカメラカバーの第１の実施形態を添付図面に基づいて説明する。本実施形態の第１のカメラカバー１は、図１及び図２に示すように、赤外線カメラ１０に覆い被せられて赤外線カメラ１０を水から防ぐものである。赤外線カメラ１０は、特定のガスを検知するガス検知用カメラやサーモグラフィとして温度分布を画像化する熱画像カメラ等で、例えば、使用時にカメラ本体１１からレンズ鏡筒１２が突出し、特定のガスの検知や温度分布を色分けして表示するモニター等を備えるものである。カメラカバー１は、カメラ本体１１に覆い被せられるカバー本体２と、カメラ本体１１のレンズ鏡筒１２が挿入されるためにカバー本体２から突出し先端が開口された筒状の鏡筒挿入部３と、鏡筒挿入部３の開口を塞ぐ赤外線透過部材４とを備えている。
【００１５】
カバー本体２は、カメラ本体１１に上方から覆い被せられるようにフード状や紡錘状などの袋状等に形成されている。また、カバー本体２は、例えば、カメラ本体１１に被せたとき、カメラ本体１１の覆いに寄与しない余分な部分が十分にある袋状に形成されていることが好ましい。カバー本体２の材質は、赤外線カメラ１０を水から防ぐものであれば特に限定されないが、覆い被せたカメラ本体１１を目視可能であるとともに当該カメラ本体１１に密着してカメラ本体１１の操作を行える軟質の薄肉の透明部材（ポリエチレンや塩化ビニールなどの合成樹脂等）等であることが好ましい。
【００１６】
カバー本体２には、カメラ本体１１のレンズ鏡筒１２が挿入される鏡筒挿入部３が突出されている。鏡筒挿入部３は、カバー本体２に取り外し可能に取り付けられている。カバー本体２の鏡筒挿入部３が取り付けられる箇所には、鏡筒挿入部３を挿入するための貫通穴２１が設けられている。貫通穴２１には、貫通穴２１を塞ぐように弾性変形可能な弾性シート５が設けられている。
【００１７】
弾性シート５は、例えば、軟質の弾性部材（例えば、合成ゴムや天然ゴム等のゴム系部材や弾性を有する合成樹脂等）で薄肉に形成されて容易に弾性変形可能になっている。弾性シート５は、一例として外形が貫通穴２１より大きな径の円形状に形成されている。弾性シート５には、鏡筒挿入部３より径が小さく弾性シート５の弾性変形により鏡筒挿入部３が挿入される挿入穴５１が貫通穴２１と略同軸上に設けられている。すなわち、弾性シート５は、大略リング状に形成されている。
【００１８】
弾性シート５は、外周円端部が周方向に沿って密着されて密封された状態でカバー本体２に貫通穴２１と略同軸上に取り付けられている。弾性シート５の取付は、カバー本体２に密封された状態であればどのようにしてもよく、例えば、カバー本体２と同じ材質で貫通穴２１と同じ穴が開いた取付片２２（すなわちリング状の取付片）とカバー本体２とで弾性シート５を挟み、取付片２２の外周円端部を周方向に沿ってカバー本体２に溶着するとともに、取付片２２の幅（径方向）の中央部を周方向に間隔をあけて多数カバー本体２に溶着して、弾性シート５をカバー本体２に取り付けるようにしてもよい。
【００１９】
鏡筒挿入部３は、例えば、レンズ鏡筒１２より大きな径の円筒状に形成されている。鏡筒挿入部３は、円筒状に形成されていればその形状は特に限定されず、例えば、軸方向の略中央から先端となる側の端部（先端部）までが若干漸次縮径された形状の円筒状に形成されている。鏡筒挿入部３の軸方向の長さは、レンズ鏡筒１２やカメラ本体１１に応じて任意に設定される。鏡筒挿入部３は、例えば、弾性シート５より弾性変形し難いとともに軟質のゴム部材（例えば、合成ゴムや天然ゴム等のゴム系部材や弾性を有する合成樹脂等）で薄肉に形成されている。これにより、鏡筒挿入部３を弾性シート５の挿入穴５１に挿入すると、弾性シート５が弾性力により挿入した鏡筒挿入部３の外周の周方向に沿って密着し鏡筒挿入部３が弾性シート５で保持されるようになっている。また、鏡筒挿入部３は、内面がレンズ鏡筒１２に接したとき当該レンズ鏡筒１２の動きを許容する面に形成されていることが好ましい。
【００２０】
鏡筒挿入部３の先端部側の内部には、赤外線透過部材４を取り付ける取付部材３１が設けられている。取付部材３１は、一端に鏡筒挿入部３の先端部側が密封された状態で取り付けられ、他端が例えば鏡筒挿入部３の先端部と中央との略中間に位置されて、一端から他端にかけて漸次縮径された円筒状に形成されている。取付部材３１の一端は、鏡筒挿入部３の先端部側の開口を形成し、他端は、レンズ鏡筒１２の先端の径より大きな寸法例えば若干大きな寸法の径で形成されている。取付部材３１は、赤外線透過部材４が取り付けられても変形しないように、例えば、硬質の合成樹脂や金属等で形成されている。取付部材３１の他端には、他端の開口を覆うように赤外線透過部材４が取り付けられている。すなわち、赤外線透過部材４によって鏡筒挿入部３の開口が塞がれている。なお、赤外線透過部材４を鏡筒挿入部３の先端より内側に配置したが、赤外線透過部材４を先端に配置するようにしてもよい。
【００２１】
赤外線透過部材４は、例えば、レンズ鏡筒１２の直径と同じか当該直径より大きな直径例えば若干大きな直径の円板状に形成されている。赤外線透過部材４は、例えば波長７．５〜１４μｍの赤外線を透過するものであれば特に限定されず、例えば、ポリエチレン系の樹脂材料例えばポリエチレン等で形成されている。なお、赤外線透過部材４は、赤外線を透過させる性質を有し、成形性に優れるものであれば他の材料を用いて形成するようにしてもよい。赤外線透過部材４の厚さは、赤外線の透過を良好に行えるとともにレンズ鏡筒１２の開口を覆った状態を保持し得る範囲から任意に設定される。
【００２２】
次に、上記のように構成した本実施形態の第１のカメラカバー１を赤外線カメラ１０に装着する場合について説明する。カバー本体２の弾性シート５の挿入穴５１に鏡筒挿入部３を挿入して、鏡筒挿入部３を弾性シート５に保持させる。すなわち、鏡筒挿入部３の取付を行う。このとき、鏡筒挿入部３がカバー本体２に取り外し可能に取り付けられているので、径や長さの異なる鏡筒挿入部３を複数形成することで、赤外線カメラ１０に応じて適した鏡筒挿入部３を選択することが可能となる。
【００２３】
鏡筒挿入部３を取り付けたカバー本体２を赤外線カメラ１０に覆い被せてからレンズ鏡筒１２を鏡筒挿入部３に挿入する。挿入後、図１に示すように、カバー本体２を赤外線カメラ１０に密着させてカメラ本体１１を目視可能でその操作を行えるようにしてから、カバー本体２のカメラ本体１１の覆いに寄与しない余分な部分を丸めてカバー本体２がカメラ本体１１から離れないようにする。なお、まず、レンズ鏡筒１２を鏡筒挿入部３に挿入する、すなわち、レンズ鏡筒１２に鏡筒挿入部３を被せる。次に、この鏡筒挿入部３を被せた赤外線カメラ１０にカバー本体２を覆い被せてから、鏡筒挿入部３を弾性シート５の挿入穴５１に挿入するようにしてもよい。
【００２４】
これにより、赤外線カメラ１０のカメラ本体１１がカバー本体２により覆われるとともに、レンズ鏡筒１２が鏡筒挿入部３及び赤外線透過部材４によって覆われる、すなわち、赤外線カメラ１０全体がカメラカバー１で覆われるので、例えば、上方から水が垂れても水が赤外線カメラ１０内に浸入することが防止される。このとき、レンズ鏡筒１２の前面が赤外線透過部材４によって覆われている状態が保持されるので、赤外線カメラ１０で水が存在する環境でも赤外領域の撮影を確実に行えるようになる。
【００２５】
したがって、本実施形態の第１のカメラカバー１は、赤外線カメラ１０を用いて水が存在する環境でも、特定のガスを検知したり、温度分布を画像化したりすることが可能となる。
【００２６】
カバー本体２が軟質の透明部材で形成されてカバー本体２を赤外線カメラ１０に密着させることで、赤外線カメラ１０で撮影を行う現場の足場が悪くて赤外線カメラ１０を持つ手が揺れても、レンズ鏡筒１２の前面が赤外線透過部材４によって覆われている状態が保持されるので、移動後でも赤外領域の撮影を確実に行える。さらに、カバー本体２で赤外線カメラ１０を覆い被せて密着させることで、カメラ本体１１の操作を行えるとともに、カメラ本体１１を目視可能であるので、赤外線カメラ１０のモニターを目視でき、瞬時に特定のガスの検知や温度分布を把握することができる。
【００２７】
鏡筒挿入部３を円筒状に形成し、カバー本体２に貫通穴２１を塞ぐように弾性変形可能な弾性シート５を設け、弾性シート５に挿入穴５１を設けて、鏡筒挿入部３の取付を取り外し可能にすることで、鏡筒挿入部３の着脱を容易に安価に行える。また、弾性シート５を軟質の弾性部材で薄肉に形成し、鏡筒挿入部３を、弾性シート５より弾性変形し難いとともに軟質の弾性部材で薄肉に形成することで、鏡筒挿入部３の上からレンズ鏡筒１２を手動で操作することが可能となる。さらに、鏡筒挿入部３の内面を、レンズ鏡筒の動きを許容する面に形成することで、鏡筒挿入部３の内面がレンズ鏡筒１２に接触してもレンズ鏡筒１２が自動で回転等動くので、オートフォーカス等の邪魔になることが抑制される。また、赤外線透過部材４を鏡筒挿入部３の先端より内側に配置することで、赤外線透過部材４が先端に配置されている場合に比して赤外線透過部材４が傷つきにくく、また、鏡筒挿入部３の先端が遮光として機能する。
【００２８】
図３は本実施形態の第２のカメラカバーを示す図である。図２に示すように、第２のカメラカバー１００は、カバー本体１０２に鏡筒挿入部１０３が一体に取り付けられているとともに、赤外線透過部材４がレンズ鏡筒１２の前面を覆った状態を保持するための固定部１０６が設けられているものである。なお、第１のカメラカバー１と構成が略同じ部材には同一符号を付しその説明を省略することがある。
【００２９】
鏡筒挿入部１０３は、カバー本体１０２に一体に突出して設けられている。鏡筒挿入部１０３には、赤外線透過部材４がレンズ鏡筒１２の前面を覆った状態を保持するための固定部１０６が設けられている。固定部１０６は、赤外線透過部材４がレンズ鏡筒１２の前面を覆った状態を保持することができればその構造は特に限定されず、例えば、弾性力により鏡筒挿入部１０３をレンズ鏡筒１２に固定する弾性体１０７で形成されている。弾性体１０７は、例えば、天然ゴムや合成ゴム等のゴム系の材料でリング状に形成されている。なお、弾性体は、リング状ではなく他の形状に形成してもよいし、また、ゴム系の材料に限定されずばね等の他の材料で形成するようにしてもよい。さらに、固定部１０６は、鏡筒挿入部１０３に設けたが、鏡筒挿入部１０３と別体として設けてもよい、すなわち、固定部を個別に設けてもよい。
【００３０】
弾性体１０７をゴム系の材料でリング状に形成する場合、外径は、レンズ鏡筒１２の外径より大きな寸法で形成されるとともに、内径は、レンズ鏡筒１２の外径より小さな寸法であってレンズ鏡筒１２の外周の任意の位置に固定され得る寸法で形成されている。この弾性体１０７は、図３に示す例では、外周が鏡筒挿入部１０３の内周面に沿って取り付けられている。なお、弾性体１０７の取付位置は、鏡筒挿入部１０３の基端側の開口縁部であるがこれに限定されず、鏡筒挿入部１０３の中間であってもよい。また、弾性体１０７の内周を鏡筒挿入部１０３の外周面に沿って取り付けてもよい。さらに、弾性体１０７は、レンズ鏡筒１２が挿入される内周に径方向に延びる切り込みを複数入れて、レンズ鏡筒１２の挿入を行い易くするようにしてもよい。
【００３１】
次に、上記のように構成した本実施形態の第２のカメラカバー１００を赤外線カメラ１０に装着する場合について説明する。まず、カバー本体１０２を赤外線カメラ１０に覆い被せる。次に、レンズ鏡筒１２をカバー本体１０２から突出している鏡筒挿入部１０３に挿入する。このとき、レンズ鏡筒１２を弾性体１０７内に挿入して弾性体１０７をレンズ鏡筒１２に対してレンズ鏡筒１２の外周の軸方向に沿って移動してレンズ鏡筒１２の所定の位置に位置させる。これにより、弾性体１０７は、弾性力に抗して弾性変形して弾性力によりレンズ鏡筒１２の所定の位置に位置決めされて、鏡筒挿入部３の一部が弾性体１０７を介してレンズ鏡筒１２の所定の位置に固定される。その結果、固定された箇所から先端までの鏡筒挿入部１０３によって赤外線透過部材４がレンズ鏡筒１２の前面例えば開口を覆うようにレンズ鏡筒１２の先端に押し付けられて、赤外線透過部材４がレンズ鏡筒１２の前面を覆った状態が保持される。
【００３２】
このように、赤外線カメラ１０のカメラ本体１１がカバー本体１０２により覆われるとともに、レンズ鏡筒１２が鏡筒挿入部１０３及び赤外線透過部材４によって覆われる、すなわち、赤外線カメラ１０全体がカメラカバー１００で覆われるので、上方から水が垂れても水が赤外線カメラ１０内に浸入することが防止される。このとき、レンズ鏡筒１２の前面が赤外線透過部材４によって覆われている状態が保持されるので、赤外線カメラ１０で水が存在する環境でも赤外領域の撮影を確実に行えるようになる。
【００３３】
したがって、本実施形態の第２のカメラカバー１００は、赤外線カメラ１０を用いて水が存在する環境でも、特定のガスを検知したり、温度分布を画像化したりすることが可能となる。また、赤外線カメラ１０で撮影を行う現場の足場が悪くて赤外線カメラ１０を持つ手が揺れても、弾性体１０７によって鏡筒挿入部１０３がレンズ鏡筒１２に固定されてレンズ鏡筒１２の前面が赤外線透過部材４によって覆われている状態が保持されるので、移動後でも赤外領域の撮影を確実に行える。
【００３４】
図４は本実施形態の第３のカメラカバーを示す図である。図４に示すように、第３のカメラカバー１０１は、固定部１０６の他の例を示すもので、固定部１０６を紐状部材１０８で形成したものである。なお、固定部１０６を紐状部材１０８で形成した以外は、第２のカメラカバー１００と構成が略同じであるので、同一部材には同一符号を付しその説明を省略することがある。
【００３５】
紐状部材１０８は、鏡筒挿入部１１３の開口径を絞ったり緩めたりするもので、鏡筒挿入部１１３の一部をレンズ鏡筒１２の外周に固定することができればどのように形成してもよい。紐状部材１０８は、鏡筒挿入部１１３の外周に沿って設けられ、鏡筒挿入部１１３の開口径を絞ってすなわち鏡筒挿入部１１３をレンズ鏡筒１２の外周の所定の位置に締め付けた状態でレンズ鏡筒１２の外周に締結して、鏡筒挿入部１１３をレンズ鏡筒１２の外周に固定するものである。紐状部材１０８の締結（固定）は、例えば、紐状部材１０８の両端を結んでもよいし、公知のコードストッパー１０９を用いてもよい。
【００３６】
次に、上記のように構成した本実施形態の第３のカメラカバー１０１を赤外線カメラ１０に装着する場合について説明する。まず、袋状のカバー本体１１２を赤外線カメラ１０に覆い被せ、レンズ鏡筒１２をカバー本体１１２から突出している鏡筒挿入部１１３に挿入する。次に、紐状部材１０８で鏡筒挿入部１１３の開口径を絞って鏡筒挿入部１１３をレンズ鏡筒１２の外周の所定の位置に締め付けた状態で紐状部材１０８を例えばコードストッパー１０９により締結する。これにより、鏡筒挿入部１１３の一部がレンズ鏡筒１２の所定の位置に固定されるので、この固定された箇所から先端までの鏡筒挿入部１１３によって赤外線透過部材４がレンズ鏡筒１２の前面例えば開口を覆うようにレンズ鏡筒１２の先端に押し付けられて、赤外線透過部材４がレンズ鏡筒１２の前面を覆った状態が保持される。
【００３７】
このように、赤外線カメラ１０のカメラ本体１１がカバー本体１１２により覆われるとともに、レンズ鏡筒１２が鏡筒挿入部１１３及び赤外線透過部材４によって覆われる、すなわち、赤外線カメラ１０全体がカメラカバー７で覆われるので、上方から水が垂れても水が赤外線カメラ１０内に浸入することが防止される。このとき、レンズ鏡筒１２の前面が赤外線透過部材４によって覆われている状態が保持されるから、赤外線カメラ１０で水が存在する環境でも赤外領域の撮影を確実に行えるようになる。
【００３８】
したがって、本実施形態の第３のカメラカバー１０１は、赤外線カメラ１０を用いて水が存在する環境でも、特定のガスを検知したり、温度分布を画像化したりすることが可能となる。また、赤外線カメラ１０で撮影を行う現場の足場が悪くて赤外線カメラ１０を持つ手が揺れても、紐状部材１０８によって鏡筒挿入部１１３がレンズ鏡筒１２に固定されてレンズ鏡筒１２の前面が赤外線透過部材４によって覆われている状態が保持されるので、移動後でも赤外領域の撮影を確実に行える。
【符号の説明】
【００３９】
１  第１のカメラカバー
２  カバー本体
３  鏡筒挿入部
４  赤外線透過部材
５  弾性シート
２１  貫通穴
５１  挿入穴
１００  第２のカメラカバー
１０２  カバー本体
１０３  鏡筒挿入部
１０６  固定部
１１０  第３のカメラカバー
１１２  カバー本体
１１３  鏡筒挿入部
【図１】
0003183907.tif 000003
【図２】
0003183907.tif 000004
【図３】
0003183907.tif 000005
【図４】
0003183907.tif 000006